(57)【要約】【課題】集中制御装置から端末への電源を供給しない場合でも、通信異常を誤検出することなく、待機電力の削減を実現する。【解決手段】  集中制御装置で行っている通信異常判定（Ｓ２）の前に、集中制御装置に装備されている電源リレーのＯＮ／ＯＦＦの判別（Ｓ１）を行い、ＯＦＦしている場合には集中制御装置は端末側へのデータ送信（Ｓ４）を行わないアルゴリズムにすることにより、通信異常を検出しないようにすることができる。【選択図】図２
2006109303.tif 000002
【特許請求の範囲】
【請求項１】
集中制御装置と、前記集中制御装置に接続される複数の端末とで構成されるシステムにおいて、前記集中制御装置と前記端末との通信方法は、前記集中制御装置が一定時間ごとに必ず前記端末に対してデータの送信を行い、前記端末は前記集中制御装置からのデータを受信した後に初めて前記集中制御装置に対してデータを送信する方法を用いており、前記複数の端末への電源を前記集中制御装置に存在する電源リレーを介して内外通信線より供給するシステムである場合に、前記電源リレーがＯＦＦしている場合には、前記集中制御装置は端末側へのデータの送信を行わず、通信異常を検出しないことを特徴とするマルチシステムの通信異常検出方法。
【請求項２】
システムに対して運転指示がない場合は、端末側へのデータの送信を行わず、通信異常を検出しないことを特徴とする請求項１記載のマルチシステムの通信異常検出方法。
【発明の詳細な説明】
【技術分野】
【０００１】
本発明は、集中制御装置と複数の端末からなるシステムの、通信異常検出方法に関するものである。
【背景技術】
【０００２】
従来、一つの集中制御装置に複数の端末が接続可能な一対多数の通信方法は、集中制御装置側から、ある一定時間ごと（Ｓ１３）に複数の端末にデータを送信（Ｓ１４）し、端末側は集中制御装置からのデータを受信（Ｓ１５）したのを合図として、集中制御装置にデータの送信（Ｓ１６）を開始する。端末からのデータを集中制御装置が受信（Ｓ１７）した後、集中制御装置が受信に成功したかを判断（Ｓ１０）し、受信が成功していれば一定時間（Ｓ１３）後に、再び端末側へデータを送信（Ｓ１３）、受信に失敗すれば通信異常（Ｓ１２）を検出する方法が主流となっている。このような通信方法を用いているシステムで、電源を集中制御装置を介して全ての端末に供給しているようなシステムでは、集中制御装置が一定時間ごとに端末に対してデータの送信を行い、端末側からの応答がなければ通信異常を検出してしまうため、端末側へは常時通電を行う必要がある。このような通信形態を持ったシステムの例としては、マルチエアコンなどが挙げられる（例えば、特許文献１参照）。
【特許文献１】特開２０００−２４９３８７号公報
【発明の開示】
【発明が解決しようとする課題】
【０００３】
しかしながら、前記従来の構成では、端末側へ常時通電していなければならないため、待機電力が非常に高く、また、待機電力削減の為に端末側への電源の供給を止めてしまうと、集中制御装置が通信異常を誤検出してしまうという課題を有していた。
【０００４】
本発明は、複数の端末側への電源の供給を止めた場合でも通信異常を誤検出せず、また待機電力を削減してランニングコストを改善することを可能としたシステムを提供することを目的とする。
【課題を解決するための手段】
【０００５】
前記従来の課題を解決するために、本発明のマルチシステムの通信異常検出方法では、電源リレーがＯＦＦしている場合には、前記集中制御装置は端末側へのデータの送信を行わないことにより、集中制御装置側で通信異常の検出を行わないシステムを実現するものである。
【発明の効果】
【０００６】
本発明のシステムは、端末側への電源の供給を止めた場合でも通信異常を誤検出せず、また、待機電力の削減を実現することが出来る。
【発明を実施するための最良の形態】
【０００７】
第１の発明は、電源リレーがＯＦＦしている場合には集中制御装置は端末側へのデータの送信を行わず、通信異常を検出しない構成にすることにより、システムの待機電力を削減できるシステムを実現することができる。
【０００８】
第２の発明は、特に第１の発明で、リモコンからの運転指示による判定をおこなうことで、システムの待機電力を削減できるシステムを実現することができる。
【０００９】
以下、本発明の実施の形態について、図面を参照しながら説明する。なお、この実施の形態によって本発明が限定されるものではない。
【００１０】
（実施の形態１）
図１は本発明の実施の形態１におけるシステム構成ブロック図、図２は集中制御装置と端末の通信フローチャートである。
【００１１】
図１において、１は集中制御装置、２ａ、２ｂ、…、２ｘはそれぞれ端末、３は集中制御装置と端末を接続している通信線であり、端末の電源はこの通信線を用いて供給している。４は集中制御装置に接続されている受信部、５はリモコン、６は端末２ａ、２ｂ、…、２ｘへ電源供給を行う電源リレーである。
【００１２】
集中制御装置１には、複数の端末２ａ、２ｂ、…、２ｘが接続される。集中制御装置１と端末２ａ、２ｂ、…、２ｘは、通信線３で接続されており、端末２ａ、２ｂ、…、２ｘの電源は、電源リレー６を介して集中制御装置１から供給されている。集中制御装置１は、初めに電源リレー６のＯＮ／ＯＦＦの判別（Ｓ０）を行い、電源リレー６がＯＮであれば、ある一定時間ごと（Ｓ３）に各端末に対してデータの送信（Ｓ４）を行い、端末２ａ、２ｂ、…、２ｘは集中制御装置１からのデータを受信（Ｓ５）した後に、集中制御装置１に対してデータの送信（Ｓ６）を行う。集中制御装置側では端側からのデータを受信（Ｓ７）した後、再び電源リレー６のＯＮ／ＯＦＦの判別（Ｓ０）を行い、受信完了の判定（Ｓ１）を行い、受信完了していれば一定時間経過後（Ｓ３）に再び端末にたいしてデータの送信を行う（Ｓ４）。
【００１３】
電源リレー６がＯＦＦであれば、端末２ａ、２ｂ、…、２ｘへの電源が供給されていないため、端末側からのデータが受信が不可能となることより、受信完了の判定（Ｓ１）を行う前に、電源リレー６がＯＦＦしていれば電源リレー６のＯＮ／ＯＦＦの判別（Ｓ０）をループするアルゴリズムにすることにより、通信異常の検出（Ｓ２）を行わず、端末２ａ、２ｂ、…、２ｘへの電源供給が必要でない場合には、電源リレー６をＯＦＦすることにより、待機電力の削減を実現できる。
【００１４】
（実施の形態２）
実施の形態１で電源リレー６のＯＮ／ＯＦＦの判別（Ｓ０）の代わりに、リモコンからの運転指示の有り無しの判別を用いて、運転指示がある場合は、集中制御装置１からある一定時間ごと（Ｓ３）に端末側へデータの送信（Ｓ４）を行い、端末側でのデータの受信処理（Ｓ５）、端末側からのデータの送信（Ｓ６）、集中制御装置側でのデータの受信処理（Ｓ７）、再び運転指示の有り無しの判別（Ｓ０）、受信完了（Ｓ１）、…と続くもので、運転指示がない場合は、運転指示の有り無しの判別（Ｓ０）をループするアルゴリズムにすることにより、通信異常の検出（Ｓ２）を行わず、端末２ａ、２ｂ、…、２ｘへの電源供給が必要でない場合には、電源リレー６をＯＦＦすることにより、待機電力の削減を実現できる。
【産業上の利用可能性】
【００１５】
以上のように、本発明のシステムは、通信異常の誤検出を防ぐと同時に待機電力の削減を実現できるため、１対複数の集中制御を用いた家電機器や産業機器等の用途に使用できる。
【図面の簡単な説明】
【００１６】
【図１】本発明の実施の形態１、２におけるシステムの構成ブロック図
【図２】本発明の実施の形態１、２におけるアルゴリズムのフローチャート
【図３】従来のアルゴリズムのフローチャート
【符号の説明】
【００１７】
１  集中制御装置
２  端末
３  通信線
４  受信部
５  リモコン
６  電源リレー
【図１】
2006109303.tif 000003
【図２】
2006109303.tif 000004
【図３】
2006109303.tif 000005